(57)【要約】【課題】交換式内蔵レンズを具えた携帯電話構造の提供。【解決手段】この交換式内蔵レンズを備えた携帯電話構造は、携帯電話と内蔵レンズを包含し、該携帯電話の背面に、逆錐形開口の溝体構造が設置され、且つ該溝体構造の底部に、ＣＭＯＳイメージセンサが設置され、該内蔵レンズは、該携帯電話背面の該溝体構造に取り付けられる。本発明は、有限な携帯電話内部空間中の、ＣＭＯＳイメージセンサの上方に交換可能な内蔵レンズを配置することにより、大幅に携帯電話の外部画像を撮像する動画撮影或いは写真撮影の機能をアップし、さらに、使用者の要求により広角撮影、遠距離ズーム撮影、近距離ミクロ撮影、光源フィルタレンズ機能を具えた光学レンズモジュールを有する内蔵レンズに交換することで、使用者の異なる特殊な応用の使用目的を達成する。【選択図】図２
2015121699.tif 000002
【特許請求の範囲】
【請求項１】
交換式内蔵レンズを具えた携帯電話構造において、携帯電話と内蔵レンズを包含し、該携帯電話の背面に、逆錐形開口の溝体構造が設けられ、且つ該溝体構造の底部に、ＣＭＯＳイメージセンサが設置され、該ＣＭＯＳイメージセンサは線路で該携帯電話内部の回路基板に接続され、
該内蔵レンズは、該携帯電話背面の該溝体構造に取り付けられ、該内蔵レンズには大範囲撮像の広角撮影用の光学レンズモジュール、遠距離ズームの望遠機能用の光学レンズモジュール、近距離ズームのミクロ撮影機能用の光学レンズモジュール、光源フィルタレンズ機能用の光学レンズモジュールのいずれかが設置されていることを特徴とする、交換式内蔵レンズを具えた携帯電話構造。
【発明の詳細な説明】
【技術分野】
【０００１】
本発明は一種の交換式内蔵レンズを具えた携帯電話構造に係り、特に一種の、交換可能な内蔵レンズを具えた携帯電話構造に関する。
【背景技術】
【０００２】
現在、携帯電話に配置されたＣＭＯＳイメージセンサは、いずれも携帯電話の背面に設置され、且つ携帯電話の背部カバーと同一平面上に位置し、ＣＭＯＳイメージセンサは、省エネで体積が小さく、周辺回路と整合させやすい長所を有しているが、却ってフォーカス時に倍率を光学拡大或いは光学縮小できないという制限があり、甚だしくは光学システムの制限のために、より大きな範囲の視野角撮影或いは遠距離ズーム撮影及び近距離ズーム撮影が行なえない等の欠点を有する。このため、使用者がもし高い倍率の望遠撮影、近距離ミクロ撮影、光源フィルタレンズ撮影等の特殊機能の応用を必要とする場合は、携帯電話に備えつけられたＣＭＯＳイメージセンサはそれに対応し必要な撮影機能を提供することができず、使用者は、別に体積が比較的大きく且つ重いハイレベルのカメラを携行するか、或いは携帯電話のレンズ外に一定体積が突出する外付けレンズを取り付けなければならず、しかし、これは却って携帯電話の体積を増大させて使用者によって撮影コントロールがしづらくなり、且つ携帯電話に外付けされたレンズは、明らかに突出しておりズボンの両側のポケットに直接入れることはできず、携帯或いは使用上、非常に不便である。
【発明の概要】
【発明が解決しようとする課題】
【０００３】
本発明は携帯電話のＣＭＯＳイメージセンサの設置位置を変更することにより、有限な携帯電話内部空間中の、ＣＭＯＳイメージセンサの上方に交換可能な内蔵レンズを配置できるようにし、それにより、大幅に携帯電話の外部画像キャプチャのビデオ或いは写真撮影の機能をアップし、さらに使用者の異なる要求により大範囲撮像の広角機能を有する光学レンズモジュール、遠距離ズームの望遠機能を有する光学レンズモジュール、近距離ズームのミクロ機能を有する光学レンズモジュール或いは光源フィルタのフィルタレンズ機能を有する光学レンズモジュールを具えた内蔵レンズに交換できるようにすることで、使用者の特殊な応用の使用目的を達成できるようにする。
【課題を解決するための手段】
【０００４】
本発明は一種の交換式内蔵レンズを具えた携帯電話構造を提供し、それは、携帯電話と内蔵レンズを具え、該携帯電話の背面に、逆錐形開口の溝体構造が設置され、且つ該溝体構造の底部に、ＣＭＯＳイメージセンサが設置され、該内蔵レンズは、該携帯電話背面の該溝体構造に取り付けられる。
【発明の効果】
【０００５】
本発明の交換式内蔵レンズを具えた携帯電話構造は、携帯電話と内蔵レンズを包含し、該携帯電話の背面に、逆錐形開口の溝体構造が設置され、且つ該溝体構造の底部に、ＣＭＯＳイメージセンサが設置され、該内蔵レンズは、該携帯電話背面の該溝体構造に取り付けられる。本発明は、有限な携帯電話内部空間中の、ＣＭＯＳイメージセンサの上方に交換可能な内蔵レンズを配置することにより、大幅に携帯電話の外部画像を撮像する動画撮影或いは写真撮影の機能をアップし、さらに、使用者の要求により広角撮影、遠距離ズーム撮影、近距離ミクロ撮影、光源フィルタレンズ機能を具えた光学レンズモジュールを有する内蔵レンズに交換することで、使用者の異なる特殊な応用の使用目的を達成する。
【図面の簡単な説明】
【０００６】
【図１】本発明の部品分解図である。
【図２】本発明の組み合わせ図である。
【図３】本発明の断面表示図（一）である。
【図４】本発明の断面表示図（二）である。
【発明を実施するための形態】
【０００７】
以下に本発明の技術内容、構造特徴、達成する目的及び作用効果について、以下に例を挙げ並びに図面を組み合わせて詳細に説明する。
【０００８】
実施例一：
図１から図４を参照されたい。本発明の交換式内蔵レンズを具えた携帯電話構造１は、携帯電話２１、内蔵レンズ２３を包含する。該携帯電話２１の背面には、逆錐形開口の溝体構造２４が設置され、且つ該溝体構造２４の底部には、ＣＭＯＳイメージセンサ２２が設置される。該ＣＭＯＳイメージセンサ２２は、線路で該携帯電話内部の回路基板に接続される。該内蔵レンズ２３は、該携帯電話２１背面の該溝体構造２１に嵌め込まれる。該内蔵レンズ２３には、大範囲撮像の広角機能を有する光学レンズモジュール、遠距離ズームの望遠機能の光学レンズモジュール、近距離ズームのミクロ機能の光学レンズモジュール或いは光学フィルタのフィルタレンズ機能の光学レンズモジュールのいずれかが設置される。
【０００９】
現在、携帯電話に配置されたＣＭＯＳイメージセンサは、いずれも携帯電話の背面に設置され、且つ携帯電話の背部カバーと同一平面上に位置し、ＣＭＯＳイメージセンサは、省エネで体積が小さく、周辺回路と整合させやすい長所を有しているが、却ってフォーカス時に倍率を光学拡大或いは光学縮小できないという制限があり、甚だしくは光学システムの制限のために、より大きな範囲の視野角撮影或いは遠距離ズーム撮影及び近距離ズーム撮影が行なえない等の欠点を有する。このため、使用者がもし高い倍率の望遠撮影、近距離ミクロ撮影、光源フィルタレンズ撮影等の特殊機能の応用を必要とする場合は、携帯電話に備えつけられたＣＭＯＳイメージセンサはそれに対応し必要な撮影機能を提供することができず、使用者は、別に体積が比較的大きく且つ重いハイレベルのカメラを携行するか、或いは携帯電話のレンズ外に一定体積が突出する外付けレンズを取り付けなければならず、しかし、これは却って携帯電話の体積を増大させて使用者によって撮影コントロールがしづらくなり、且つ携帯電話に外付けされたレンズは、明らかに突出しておりズボンの両側のポケットに直接入れることはできず、携帯或いは使用上、非常に不便である。
【００１０】
本発明は携帯電話２１のＣＭＯＳイメージセンサ２２の設置位置を変更することにより、有限な携帯電話２１内部空間中の、ＣＭＯＳイメージセンサ２２の上方に光学レンズモジュールを具えた交換可能な内蔵レンズ２３を配置できるようにし、それにより、ハイレベルの光学レンズモジュールを具えた該内蔵レンズ２３に交換できるようにし、また、該内蔵レンズ２３を該携帯電話２１の該溝体構造２４に内蔵し、並びに使用者の実際の使用の必要により、大範囲撮像の広角機能を有する光学レンズモジュール、遠距離ズームの望遠機能を有する光学レンズモジュール、近距離ズームのミクロ機能を有する光学レンズモジュール或いは光源フィルタのフィルタレンズ機能を有する光学レンズモジュールを具えた内蔵レンズ２３に交換でき、これにより使用者の特殊な応用の使用の場合を満足させ、それにより、大幅に携帯電話レンズの外部画像に対する動画、写真の撮影の機能を大幅にアップする。
【００１１】
さらに、該内蔵レンズ２３の体積は小さく、これにより、使用者が同時に複数組の異なる機能、倍率の該内蔵レンズ２３を携行する場合も、相当にコンパクトで便利であり、且つ収納が容易である。該内蔵レンズ２３は該携帯電話２１の該溝体構造２４に取り付けられ、該内蔵レンズ２３の上面は、該携帯電話２１の背面カバーと同一平面となるように維持され、、これにより、使用者はもし該携帯電話２１をズボンの前面或いは後面の両側ポケットに入れても、レンズが携帯電話２１から突出することによる異物感を感じることはない。
【００１２】
上述の実施例は僅かに本発明の原理及びその作用効果を説明するものであり、本発明を制限するものではない。これにより、この発明の属する技術の分野における通常の知識を有する者が上述の実施例に対してなし得る修正或いは変化は、すなわち、本発明の精神より逸脱しない。本発明はすでに産業上の利用性、新規性及び進歩性を有し、並びに特許の要件を満たす。
【符号の説明】
【００１３】
１  携帯電話構造
２１  携帯電話
２２  ＣＭＯＳイメージセンサ
２３  内蔵レンズ
２４  溝体構造
【図１】
2015121699.tif 000003
【図２】
2015121699.tif 000004
【図３】
2015121699.tif 000005
【図４】
2015121699.tif 000006